(57)【特許請求の範囲】
【請求項１】
それぞれ上下両端を有すると共に略中央部内側に係止手段を有する３本の取付支柱を並列し、中空体を構成するようにそれぞれの取付支柱の前記上下両端を固定する支持片と、前記取付支柱に支持されるファセットカットあるいはカボションカットを有するガードル部を備えた宝石と、を具備し、前記宝石は、前記ガードル部が前記係止手段に嵌合することにより支持されており、前記係止手段は、係止溝あるいは突起部と該突起部が凹んだ係止部であることを特徴とする装身具。
【請求項２】
前記取付支柱が湾曲した支柱であることを特徴とする請求項１記載の装身具。
【請求項３】
前記係止手段は、前記中空体の軸心方向でその位置が相違し、前記宝石を傾斜して支持することを特徴とする請求項１又は請求項２記載の装身具。
【請求項４】
前記係止手段は、それぞれの取付支柱の複数箇所に設けられることを特徴とする請求項１から請求項３のいずれかに記載の装身具。
【請求項５】
上下両端と、略中央部内側に係止手段とを備えた３本の取付支柱を並列し、それぞれの下端を下部支持片に固定する工程と、該固定された取付支柱のうち、少なくとも一本を除き、それぞれの上端を上部支持片に固定して中空体を形成する工程と、前記係止手段にファセットカットあるいはカボションカットされた宝石のガードル部を位置させる工程と、前記上部支持片に一端を固定しなかった取付支柱の上端を上部支持片に固定して、前記係止手段に前記宝石のガードル部を嵌合する工程と、を具備することを特徴とする装身具の石留め方法。
【発明の詳細な説明】
【０００１】
【発明の属する技術分野】
本発明は、ファセットカットあるいはカボションカットされた宝石を側面方向から観察することができる装身具と、その石留め方法に関する。
【０００２】
【従来の技術】
従来の代表的な宝石のカッティング形状は、例えば、ダイアモンド１を例にとると、図１に示す如く、上方部分を略円錐台状に形成したクラウン部２と平坦なテーブル部３とからなり、前記クラウン部２の下端周縁に設けたガードル部４の下方には円錐状に形成した傾斜部分をパピリオン部５、該パピリオン部の先端にはキューレット部６が形成される。
【０００３】
ダイヤモンド１は、光の乱反射をテーブル部３方向から輝きとして観察するもので、かかる反射光は、クラウン部２から入射した光がパビリオン部５で反射し、テーブル部３から射出することにより創出される。
したがって、従来、ほとんどの宝石を取付けた装身具は、テーブル部３が表面に露出する方向でダイアモンド１を石留めしている。
【０００４】
また、宝石の代表的な石留め方法である立て爪を説明すると、図２０に示すごとく、ダイアモンド１を支持させる各爪片６５に設けた台部６６に、パピリオン部５を載置する（図２０Ａ）。次いで、爪片６５の先端の設けた爪部６７をプライヤー８０などを使用してクラウン部２方向に倒して圧着する（図２０Ｂ）。
【０００５】
仕上げ工程は、クラウン部２方向に圧着した爪部６７の先端をやすりなどで研磨して爪部６７の大きさや形を整えると共にテーブル部３をできる限り露出する（図２０Ｃ）。
【０００６】
しかし、金属材の経年変化より爪部６７の圧着力がしだいに弱くなってダイアモンド１がガタついたり、石留め時にダイアモンド１を破損するおそれがあるため、このような石留め方法には熟練した技術が必要とされていた。
【０００７】
【発明が解決しようとする課題】
前記したごとく、従来の宝石の石留め方法では、宝石のテーブル部を爪部でカシメて取り付けるものが殆んどで、宝石をテーブル部方向から見た美しさだけが強調され、その側面形状の美しさを表現することはできなかった。
また、経年変化よる緩みから、宝石のガタ付きを防止する必要などがあり、その石留め方法には熟練した技術が必要とされるなどの多くの問題点があった。
【０００８】
本発明は、宝石の美しさをテーブル部方向からのみでなく、その外形全体、特に側面方向からの美しさを見せることができる装身具と、その宝石を簡単かつ確実に石留めできる装身具の石留め方法を提供することを目的とする。
【０００９】
【課題を解決するための手段】
前記課題を解決するため、請求項１の発明は、それぞれ上下両端を有すると共に略中央部内側に係止手段を有する３本の取付支柱を並列し、中空体を構成するようにそれぞれの取付支柱の前記上下両端を固定する支持片と、前記取付支柱に支持されるファセットカットあるいはカボションカットを有するガードル部を備えた宝石と、を具備し、前記宝石は、前記ガードル部が前記係止手段に嵌合することにより支持されており、前記係止手段は、係止溝あるいは突起部と該突起部が凹んだ係止部の装身具であることを特徴とする。
【００１０】
請求項２の発明は、請求項１記載の装身具において、前記取付支柱が湾曲した支柱であることを特徴とする。
【００１１】
請求項３の発明は、請求項１又は請求項２記載の装身具において、前記係止手段は、前記中空体の軸心方向でその位置が相違し、前記宝石を傾斜して支持することを特徴とする。
【００１２】
請求項４の発明は、請求項１から請求項３のいずれかに記載の装身具において、前記係止手段は、それぞれの取付支柱の複数箇所に設けられることを特徴とする。
【００１３】
請求項５の発明は、上下両端と、略中央部内側に係止手段とを備えた３本の取付支柱を並列し、それぞれの下端を下部支持片に固定する工程と、該固定された取付支柱のうち、少なくとも一本を除き、それぞれの上端を上部支持片に固定して中空体を形成する工程と、前記係止手段にファセットカットあるいはカボションカットされた宝石のガードル部を位置させる工程と、前記上部支持片に一端を固定しなかった取付支柱の上端を上部支持片に固定して、前記係止手段に前記宝石のガードル部を嵌合する工程と、を具備することを特徴とする装身具の石留め方法であることを特徴とする。
【００１４】
【発明の実施の形態】
本発明に係る第１の実施の形態である第１装身具を図２〜７に基づいて説明すると、図２は第１装身具の正面図、図３は図１の平面図、図４は図１のＡ―Ａ線断面図、図５は取付支柱の正面図、図６は上部支持片の平面図、図７は下部支持片の平面図である。
【００１５】
第１装飾具２０は、３本の取付支柱２３を並列し、それぞれの上下両端を２枚の支持片２６に固定して形成される略三角柱形状の中空体２１において、前記取付支柱２３の略中央部内側に設けた係止溝２５に、ファセットカットされたダイアモンド１のガードル部４を嵌合し、該ダイアモンド１の側面形状を空間部２２より観察できるよう石留めしたものである。
【００１６】
取付支柱２３は、例えば、金、白金、プラチナ、銀などの貴金属素材を使用して直線状に形成される棒材であり、その断面は、円形、楕円形若しくは小判形若しくは角形などの種々の任意形状に形成できる。また、それぞれの取付支柱２３には、略中央部内側の同位置に、前記ダイアモンド１のガードル部４を嵌合するための係止溝２５が設けられている。該係止溝２５は、ダイアモンド１のクラウン部２とパピリオン部５の傾斜角度に合わせたＶ状の切り込みである。
【００１７】
また、該係止溝２５は、それぞれの取付支柱２３の内側に直接Ｖ状の切り込みを形成するだけでなく、図８、９に示すように、取付支柱３０の内側面に略半球体等の突起部３１を設け、内側に該突起部３１が前記係止溝２５略同様の形状で凹んだ係止部３２を形成することもでき、かかる場合には、取付支柱３０の径を細くすることができるので、ダイアモンド１の側面形状をより露出して、あたかも空中に浮いているように石留めすることができる。
【００１８】
さらに、該係止溝２５の位置は、基本的にはそれぞれの取付支柱２３の同じ位置に設けることにより、中空体２１内でダイアモンド１を水平方行に石留めし、その側面形状を美しく見せるようにするが、図１０に示すように、係止溝２５ａ、２５ｂの位置を中空体２１の軸心方向（取付支柱２３の長手方向）で相違させることにより、ダイアモンド１を傾斜させることもでき、きわめてユニークな石留めも可能である。
【００１９】
くわえて、図１１に示すように、該係止溝２５ｃ、２５ｄをそれぞれの取付支柱２３の複数箇所に設けることもでき、かかる場合には、中空体２１内に複数個のダイアモンド１を石留めすることもできる。
【００２０】
支持片２６は、図６、７に示すごとく、上部支持片２６ａと下部支持片２６ｂとからなり、それぞれ３方向の放射状に形成した支持部２７の先端に、前記取付支柱２３の端部側面を固定するための係止凹部２８を設けてある。前記上部支持片２６ａの上面中央には輪環２９を取付け、該輪環２９にはネックレスチェーンあるいはイアリング用の耳留め金具を取付けることにより、中空体２１をペンダントあるいはイアリング等の装身具として使用することができる。なお、前記支持片２６の係止凹部２８と取付支柱２３の端部との固定は、例えば、ロー付けなどによる。
【００２１】
本発明に係る第２の実施の形態である第２装身具を図１２、１３に基づいて説明すると、図１２は第２装身具の一部破断した正面図、図１３は図１２のＢ―Ｂ線断面図である。
【００２２】
第２装飾具４０は、２本の取付支柱４３を並列し、それぞれの上下両端を上部支持片４６、下部支持片４７に固定して形成される中空体４１において、ファセットカットされたダイアモンド１のガードル部４を係止溝４５に嵌合し、該ダイアモンド１の側面形状を空間部４２より観察できるよう石留めしたものである。
【００２３】
取付支柱４３は、全体を略くの字形に湾曲し、中央には太径部４４を設け、上下両端方向では細径とし、前記太径部４４の内側には同位置にそれぞれ係止溝４５を設けたものである。なお、該取付支柱４３の素材、前記係止溝４５の形状は、第１装飾具２０と同様であるので、ここでは説明を省略する。
【００２４】
また、下部支持片４６は、全体を球状に形成し、上部支持片４７は前記取付支柱４３の上端を折曲げて接合して形成したものである。下部支持片４６をこのような形状にすることで、取付支柱４３に大きな断発力が生ずる。したがって、２本の取付支柱４３によっても、ダイアモンド１を安定して固定できる。
【００２５】
上部支持片４７の上面中央には輪環４９を取付け、該輪環にはネックレスチェーン若しくはイヤリング用の耳留め金具を取付けることができることは、第１装飾具２０と同様である。
【００２６】
次に、前記第１、２装身具２０、４０を形成するためのダイアモンド１の石留め方法について、前記第１装身具２０を例にして、図１４及び図１５を使用して説明する。
第１装身具２０は、上記の如く３本の取付支柱２３と、該取付支柱の上下両端に固着する支持片２６とダイアモンド１とにより構成されている。
【００２７】
ダイアモンド１の石留め方法の第１工程は、３本の前記取付支柱２３を並列し、それぞれの下端を下部支持片２６ｂの係止凹部２８にロー付けなどの方法で固定する。
【００２８】
第２工程は、固定した各取付支柱２３のうちの一本を残し、それぞれの上端を上部支持片２６ａの係止凹部２８に同様に固定して中空体２１を形成する（図１４）。
【００２９】
第３工程は、下端を下部支持片２６ｂに固定したが、上端を上部支持片２６ａに固定せずに残した１本の取付支柱２３ａとの上方隙間から、中空体２１の空間部２２にダイアモンド１を挿入し、該宝石のガードル部４をそれぞれの取付支柱２３の係止溝２５に嵌合させる（図１５）。
【００３０】
第４工程は、前記取付支柱２３ａの係止溝２５にダイアモンド１のガードル部４を嵌合させると共に、該取付支柱２３ａの上端を上部支持片２６ａの係止凹部２８方向に押圧つつ、該係止凹部２８にロー付けなどの方法で固定する。
【００３１】
取付支柱２３ａは、上部支持片に溶接する際、ダイアモンド１のガードル部４を支点にして上部支持片２６ａ方向にややたわむため、ダイアモンド１が空間部２１に挿入されると、取付支柱２３全体がその弾発力でダイアモンド１を圧着し、ダイアモンド１はガタ付くことがなく簡単かつ確実に中空体２１に石留めされる。
【００３２】
上記の如く、本発明に係る宝石を用いた装身具とその石留め方法をいくつかの実施例に基づいて説明したが、それらをもって本発明を限定するものではなく、この発明の精神を逸脱しない限り、種々の改変を加えることができることはいうまでもない。
【００３３】
例えば、取付支柱の本数は、前記実施例のような３本あるいは２本の場合に限られるわけではなく、２本以上なら多数本であればあるほど安定した石留めが可能となる。取付支柱の形状についても、例えば、図１６に示すように、種々のバリエーションが可能である。
【００３４】
また、石留めに使用される宝石は、前記実施例で説明されたダイアモンドに限られるわけではない。例えば、ルビー、サファイアなどの貴石、水晶、ひすいなどの半貴石、その他の合成宝石を使用することもできる。その形状についても、ファセットカットのみならず、カボションカットを使用したり、さらには、図１７に示すようなミラーボール形状の宝石をより幅広の係止溝により固定する等、種々のバリエーションが可能である。
【００３５】
【発明の効果】
本発明によれば、取付支柱で形成される中空体にダイヤモンド等の宝石を石留めすることにより、宝石の美しさをテーブル部方向からのみでなく、その外形全体、特に側面方向からの美しさを見せることができる。特に、細径の取付支柱で中空体を形成する場合には、あたかも宝石が空中に浮いたような美しい装身具を提供することができる。
また、宝石を傾斜して石留めしたり、複数個を石留めしたりすることができ、従来存在しなかったユニークなデザインの装身具を提供することができる。
さらに、少なくとも２以上の取付支柱と支持片とで中空体を形成し、該中空体内の係止溝に宝石のガードル部を嵌合する方法により、熟練した技術を特に必要とせず、誰でも簡単かつ確実に宝石を石留めすることができる。
【図面の簡単な説明】
【図１】  宝石の側面図である。
【図２】本発明の第１装身具の正面図である。
【図３】第１装身具の平面図である。
【図４】第１装身具のＡ―Ａ線断面図である。
【図５】取付支柱の正面図である。
【図６】上部支持片の平面図である。
【図７】  下部支持片の平面図である。
【図８】第１装身具の取付支柱に突起状の係止部を設けた他の実施例を示す一部破断した側面図である。
【図９】突起状の係止部を設けた取付支柱の側面図である。
【図１０】係止溝の位置を相違させた第１装身具の正面図である。
【図１１】係止溝を複数箇所に設けた第１装身具の正面図である。
【図１２】第２装身具の一部破断した正面図である。
【図１３】図１２のＢ―Ｂ線断面図である。
【図１４】本発明の石留め方法の第１工程を示す正面図である。
【図１５】本発明の石留め方法の第２工程を示す正面図である。
【図１６】取付支柱の形状にバリエーションを加えた本発明の正面図である。
【図１７】ミラーボール形状の宝石を石留めした本発明の正面図である。
【図１８】  中空体をイアリングとして使用した本発明の正面図である。
【図１９】従来の宝石をネックレスにした状態の正面図である。
【図２０Ａ】従来の立て爪方法による宝石の第１工程を示す模式図である。
【図２０Ｂ】第２工程の爪部に宝石を載置した状態を示す模式図である。
【図２０Ｃ】第３工程の爪部で宝石を留めた完成状態を示す模式図である。
【符号の説明】
１      宝石
２０    第1装身具
２１    中空体
２２    空間部
２３    取付支柱
２５    係止溝
２６    支持片
２７    支持部
２８    係止凹部
２９    輪環
３０    取付支柱
３１    突起部
３２    係止部
４０    第２装身具
４１    中空体
４２    空間部
４３    取付支柱
４４    大径部
４５    係止溝
４６    上部支持片
４７    下部支持片
４９    輪環
【図１】
0004054212.tif 000002
【図２】
0004054212.tif 000003
【図３】
0004054212.tif 000004
【図４】
0004054212.tif 000005
【図５】
0004054212.tif 000006
【図６】
0004054212.tif 000007
【図７】
0004054212.tif 000008
【図８】
0004054212.tif 000009
【図９】
0004054212.tif 000010
【図１０】
0004054212.tif 000011
【図１１】
0004054212.tif 000012
【図１２】
0004054212.tif 000013
【図１３】
0004054212.tif 000014
【図１４】
0004054212.tif 000015
【図１５】
0004054212.tif 000016
【図１６】
0004054212.tif 000017
【図１７】
0004054212.tif 000018
【図１８】
0004054212.tif 000019
【図１９】
0004054212.tif 000020
【図２０Ａ】
0004054212.tif 000021
【図２０Ｂ】
0004054212.tif 000022
【図２０Ｃ】
0004054212.tif 000023